(57)【要約】      （修正有）【課題】集水、分流、貯留、給水（例えば散水）といった雨水利用のための構成を一体化して、雨水の有効利用を図ることができる雨水利用緑化柵を提供する。【解決手段】隣接する支柱３，３間に板体４を設け、この板体４の少なくとも一方の面に沿う状態で植物Ｐを支持する植生支持体５を支柱３，３間に設けるとともに、前記植生支持体５の下方に植物Ｐが植生可能な植生容器６を設け、この植生容器６に雨水を供給して前記植物Ｐを生育させる雨水利用緑化柵１であって、雨水を集水する雨水集水手段１０と、集水された雨水を排水側と貯留側とに分流する雨水分流器１１と、貯留側に分流される雨水を導入する導入口１２を有する雨水貯留槽１３と、前記植生容器６に雨水を供給するため前記雨水貯留槽１３に形成された導出口１４から導出される雨水の導出流路に連通する給水流路Ｂを有する給水手段１５とを備えている。【選択図】図４
2010229795.tif 000002
【特許請求の範囲】
【請求項１】
隣接する支柱間に植物を支持する植生支持体を設け、この植生支持体の下方に植物が植生可能な容器を設け、この植生容器に雨水を供給して前記植物を生育させる雨水利用緑化柵であって、
雨水を集水する雨水集水手段と、集水された雨水を排水側と貯留側とに分流する雨水分流器と、貯留側に分流される雨水を導入する導入口を有する雨水貯留槽と、前記植生容器に雨水を供給するため前記雨水貯留槽に形成された導出口から導出される雨水の導出流路に連通する給水流路を有する給水手段とを備えたことを特徴とする雨水利用緑化柵。
【請求項２】
前記雨水集水手段の下方に前記植生支持体と前記雨水貯留槽が一列に配置されている請求項１に記載の雨水利用緑化柵。
【請求項３】
隣接する支柱間に板体を設け、この板体の少なくとも一方の面に沿う状態で植物を支持する植生支持体を支柱間に設けるとともに、前記植生支持体の下方に植物が植生可能な容器を設け、この植生容器に雨水を供給して前記植物を生育させる雨水利用緑化柵であって、  雨水を集水する雨水集水手段と、集水された雨水を排水側と貯留側とに分流する雨水分流器と、貯留側に分流される雨水を導入する導入口を有する雨水貯留槽と、前記植生容器に雨水を供給するため前記雨水貯留槽に形成された導出口から導出される雨水の導出流路に連通する給水流路を有する給水手段とを備えたことを特徴とする雨水利用緑化柵。
【請求項４】
前記雨水集水手段の下方に前記板体と前記雨水貯留槽が一列に配置されているとともに、板体の両面に沿う状態で前記植生支持体が配置されている請求項３に記載の雨水利用緑化柵。
【請求項５】
前記雨水貯留槽は、複数の雨水流入孔を設けたパイプを前記雨水貯留槽の長手方向に沿った状態で縦断側面Ｖ形の底部に有する一方、
前記パイプに集められた雨水を合流して排水管に導く排水用合流配管を設け、さらに、この排水用合流配管に開閉弁を設けている請求項１〜４のいずれかに記載の雨水利用緑化柵。
【請求項６】
前記給水手段に沿って複数の前記雨水貯留槽が一列に配置されている請求項１〜４のいずれかに記載の雨水利用緑化柵。
【請求項７】
前記雨水貯留槽に上水管を接続するとともに、雨水の貯留のないとき、あるいは、前記雨水貯留槽内の貯留水位が予め設定された下限水位レベル以下になったとき前記上水管から上水を補給するするためのポンプを備えている請求項１〜６のいずれかに記載の雨水利用緑化柵。
【請求項８】
前記雨水貯留槽の前記導出口と前記給水手段との間に給水タイマーを設けている請求項１〜７のいずれかに記載の雨水利用緑化柵。
【請求項９】
前記雨水集水手段は、樋と、この樋に集められた雨水を合流して前記雨水分流器に導く合流配管とを備えている一方、
前記雨水分流器は、上方開口を有する有底筒状の分流器本体と、前記上方開口を被覆可能な蓋体とよりなり、
前記分流器本体は、前記合流配管の下流側が取り付けられる雨水入口と、前記排水管が接続される排水側出口とを胴面部に有する一方、導入配管を介して雨水貯留槽の前記導入口に連通する貯留側出口を底面部に有し、
さらに、前記雨水入口には、雨水に混ざった落葉などの異物を雨水から攪拌により分流して前記異物を前記排水側出口から排出するため前記合流配管の下流側開口端が前記分流器本体の接線方向に向けた状態で取り付けられている請求項１〜８のいずれかに記載の雨水利用緑化柵。
【発明の詳細な説明】
【技術分野】
【０００１】
この発明は、雨水の有効利用を図ることができる新規な雨水利用緑化柵に関するものである。
【背景技術】
【０００２】
例えば、道路の中央分離帯で使用される防音柵として支柱間に防音板が取着されたものがある。しかし、前記防音柵は排気ガスの汚れが付着して殺風景なものである。
【０００３】
そこで、上記のごとき殺風景な防音柵に潤いを与えるために、従来、下記特許文献１，２に示すように、防音柵に植物が生育可能に構成された緑化柵がある。下記特許文献１のものは、防音壁の上方、下方又は中間部に植物を植生する土壌収容部が設けられている緑化防音壁である。また、下記特許文献２のものは、防音面側に植物を植生する土壌収容部が一体に設けられ、この土壌収容部の防音面側を吸音面としてある緑化防音壁である。
【先行技術文献】
【特許文献】
【０００４】
【特許文献１】特許第２９０８６９１号公報
【特許文献２】特許第３４２１９７４号公報
【発明の概要】
【発明が解決しようとする課題】
【０００５】
しかし、前記特許文献１，２のいずれにおいても、雨水を利用して植生を行うにしても雨水を有効に利用する給水システムが確保されているとは言いがたい。すなわち、前記特許文献１，２では、雨水を集水し、分流し、貯留し、給水（例えば散水）するといった一連の雨水有効利用のための構成が一体化されていなかった。特に、雨量の少ない期間のメンテナンスは大変煩わしく、その結果、緑化の維持を図るのが難しいという課題があった。
【０００６】
この発明は、上述の事柄に留意してなされたもので、その目的は、集水、分流、貯留、給水（例えば散水）といった雨水利用のための構成を一体化して、雨水の有効利用を図ることができる雨水利用緑化柵を提供することである。
【課題を解決するための手段】
【０００７】
上記目的を達成するために、この発明の雨水利用緑化柵は、隣接する支柱間に植物を支持する植生支持体を設け、この植生支持体の下方に植物が植生可能な容器を設け、この植生容器に雨水を供給して前記植物を生育させる雨水利用緑化柵であって、
雨水を集水する雨水集水手段と、集水された雨水を排水側と貯留側とに分流する雨水分流器と、貯留側に分流される雨水を導入する導入口を有する雨水貯留槽と、前記植生容器に雨水を供給するため前記雨水貯留槽に形成された導出口から導出される雨水の導出流路に連通する給水流路を有する給水手段とを備えたことを特徴としている（請求項１）。
【０００８】
また、この発明は別の観点から、隣接する支柱間に板体を設け、この板体の少なくとも一方の面に沿う状態で植物を支持する植生支持体を支柱間に設けるとともに、前記植生支持体の下方に植物が植生可能な容器を設け、この植生容器に雨水を供給して前記植物を生育させる雨水利用緑化柵であって、  雨水を集水する雨水集水手段と、集水された雨水を排水側と貯留側とに分流する雨水分流器と、貯留側に分流される雨水を導入する導入口を有する雨水貯留槽と、前記植生容器に雨水を供給するため前記雨水貯留槽に形成された導出口から導出される雨水の導出流路に連通する給水流路を有する給水手段とを備えたことを特徴とする雨水利用緑化柵を提供する（請求項３）。
【発明の効果】
【０００９】
本願の請求項１，３に係る発明によれば、雨水を集水する雨水集水手段と、集水された雨水を排水側と貯留側とに分流する雨水分流器と、貯留側に分流される雨水を導入する導入口を有する雨水貯留槽と、前記植生容器に雨水を供給するため前記雨水貯留槽に形成された導出口から導出される雨水の導出流路に連通する給水流路を形成する給水手段とを備えているので、集水、分流、貯留、給水（例えば散水）といった雨水有効利用のための構成を一体化することができて雨水の有効利用を図ることができる。その結果、利便性ならびに公共性を向上させることができる。
【００１０】
さらに、一体化することにより、以下の効果を奏する。
（１）雨水の集水量に応じて植生支持体ならびに雨水貯留槽の増設が可能である。
（２）雨水貯留槽に雨水が貯留されている限り給水手段によって常時給水（例えば散水）することができるので、例えば気象条件に応じて頻繁に給水（例えば散水）作業を行う必要はなくなり、メンテナンス性がよい。
（３）交換等のメンテナンス時においても、保管庫に保管した同一種類の雨水集水手段、雨水分流器、雨水貯留槽、給水手段を調達すればよく、雑多な器具の品揃えの配慮がなくなる。
【図面の簡単な説明】
【００１１】
【図１】（Ａ）は、この発明の第１の実施形態における緑化状態を示す構成説明図である。（Ｂ）は、上記実施形態における緑化前の植生支持体と板体と雨水貯留槽の設置状態を示す構成説明図である。（Ｃ）は、上記実施形態における緑化前の板体と雨水貯留槽の設置状態を示す構成説明図である。
【図２】上記実施形態における中央分離帯の方向から見た植生支持体と板体側の設置状態を示す構成説明図である。
【図３】上記実施形態における中央分離帯の方向から見た植生支持体と雨水貯留槽側の設置状態を示す構成説明図である。
【図４】上記実施形態における植生支持体と板体と雨水貯留槽の設置状態を示す一部透視斜視図である。
【図５】この発明の第２の実施形態を示す構成説明図である。
【図６】この発明の第３の実施形態を示す構成説明図である。
【図７】この発明の第４の実施形態を示す構成説明図である。
【発明を実施するための形態】
【００１２】
図１〜４は、この発明の第１の実施形態を示す。
【００１３】
図１〜４において、１は雨水利用緑化柵で、この実施形態では例えば道路Ｒの中央分離帯２で使用されている。
【００１４】
この雨水利用緑化柵１には、中央分離帯２の路面ｒに立設されている、隣接する支柱３，３間に防音壁（板体の一例）４が設けられており、また、この防音壁４の両面に沿って植物（例えば、常緑で乾燥に強いスイカズラ、アケビ、ヘデラ等の蔓性植物）Ｐを支持する植生支持体５，５が支柱３，３間で中央分離帯２の方向（両矢印Ｓで示す方向）に沿う形で左右に設けられている。そして、前記植生支持体５，５の下方には植物Ｐが植生可能なように、土壌および肥料等の緑化材料ａが収容された容器６，６が設けられており、この植生容器６，６に雨水を供給して前記植物Ｐを生育させることができる。
【００１５】
前記支柱３は、鋼管または合成樹脂を被覆した鋼管で作成されたものが好ましく、その大きさ等は適宜設定される。
【００１６】
前記防音壁４は、この実施形態では例えばアルミニウム製の板体よりなり、プレス成形によって多数の隙間ｅが形成されているとともに、その表面に例えば窒素酸化物分解層が形成されている。前記隙間ｅは、自動車等の排ガスを含む気流が適当な速度で透過する目的で形成されている。
【００１７】
前記植生支持体５は、この実施形態では縦方向の金属製線材と横方向の金属製線材からなる格子状のものである。なお、植生支持体５としては、比較的細い鋼管製の桟材が狭い間隔で立設支持された柵状のものでもよく、また、エキスパンドメタルのような主として蔓性植物の茎や葉の生育に好適な柵パネルからなるものでもよい。
【００１８】
７は、植生支持体５，５を定位置に保持するための保持部材で支柱３の所定個所に取り外し可能に接続されている。
【００１９】
以下、特徴的構成について説明する。
【００２０】
前記雨水利用緑化柵１は、雨水を集水する雨水集水手段１０と、集水された雨水を排水側と貯留側とに分流する雨水分流器１１と、貯留側に分流される雨水を導入する導入口１２を有する雨水貯留槽１３と、前記植生容器６に雨水を供給するため前記雨水貯留槽１３の両面に形成された導出口１４，１４から導出される雨水の導出流路Ａに連通する給水流路Ｂを有する給水手段１５，１５とを主として備えている。
【００２１】
給水手段１５，１５は導出口１４，１４に対応して雨水貯留槽１３の両面側に設けられている。給水手段１５，１５として、この実施形態では、多数の散水孔１５ａを所定間隔で横一列に形成してなるパイプ状の散水器具を採用している。
【００２２】
そして、この実施形態では、図１に示すように、前記雨水集水手段１０の下方に前記防音壁４と前記雨水貯留槽１３がＳ方向に沿って一列に配置されているとともに、図２にも示すように、Ｓ方向から見て防音壁４の両面に沿う状態で前記植生支持体５，５がそれぞれ配置されている。
【００２３】
さらに、前記雨水集水手段１０は、樋２０と、この樋２０に集められた雨水を合流して前記雨水分流器１１に導く合流配管２１とを備えている。そして、樋２０は、適度の傾斜角度θ（路面ｒとなす鋭角）を有し、Ｓ方向から見てＶ字形に形成された屋根部２２と、Ｓ方向に沿った状態で屋根部２２の谷間に設けられた、複数の雨水流入孔２３を有するパイプ２４とからなる。屋根部２２は、Ｓ方向から見て左右一対の屋根部分２２ａ，２２ａからなる。
【００２４】
なお、屋根部分２２ａおよび２２ａがそれぞれパイプ２４を中心としてそのまわりに所定角度だけ回動する構成を採用してもよい。図３には、屋根部分２２ａおよび２２ａの回動方向Ｑが示されている。この場合、集水効率を向上させるためには屋根部分２２ａおよび２２ａ間のなす角度θ’を大きくすればよい。
【００２５】
また、前記雨水分流器１１は、上方開口３０を有する有底筒状の分流器本体３１と、前記上方開口３０を被覆可能な蓋体３２とよりなる。
【００２６】
そして、前記分流器本体３１は、前記合流配管２１の下流側が取り付けられる雨水入口３３と、排水管３４が接続される排水側出口３５とを胴面部に有する一方、導入配管３６を介して雨水貯留槽１３の前記導入口１２に連通する貯留側出口３７を底面部に有する。
【００２７】
さらに、前記雨水入口３３には、雨水に混ざった落葉などの異物を雨水から攪拌により分流して前記異物を前記排水側出口３５から排出するため前記合流配管２１の下流側開口端２１ａが前記分流器本体３１の接線方向に向けた状態で取り付けられている。
【００２８】
なお、雨水に混ざった落葉などの異物を雨水から攪拌により分流して前記異物を前記排水側出口３５から排出するための構成は、上記のものに限るものではなく、例えば前記分流器本体３１の内壁に前記攪拌を生じさせうる形状の凹凸部を形成してもよく、あるいは、前記内壁（内周壁）に前記攪拌を生じさせうる例えば螺旋状の溝を分流器本体３１の上下方向に沿って形成してもよい。
【００２９】
また、分流器本体３１内で貯留側出口３７の直上流側には、貯留側出口３７を覆うようストレーナ３７ａが設けられている。メンテナンス時には、監視者は蓋体３２を取り外した後、ストレーナ３７ａに溜まっている異物を取り除くことができる。
【００３０】
一方、前記雨水貯留槽１３は縦断側面Ｖ形（Ｓ方向から見てＶ形）の底部３９を有している。そして、この底部３９に、複数の雨水流入孔４０を設けたパイプ４１が前記雨水貯留槽１３の長手方向、すなわちＳ方向に沿った状態で設けられている。さらに、前記パイプ４１に集められた雨水を前記パイプ４１の一方端部において合流して排水管３４に導く排水用合流配管４２が設けられている。排水用合流配管４２は、給水手段１５の下方に設けられている。
【００３１】
そして、前記排水用合流配管４２に操作部材４３によって操作可能な開閉弁（図示せず）を設けている。図３，４は、開状態に操作された操作部材４３を示しており、これにより、底部３９に溜まっているおそれのある濁った純度の悪い雨水を排水用合流配管４２を介して排水管３４に流すことができ、雨水貯留槽１３に貯留する雨水の純度をできるだけ良好に維持できる。この場合、雨水貯留槽１３を透明な樹脂製で成形しておけば、底部３９に濁った雨水が生じているかどうかを監視員は目視により検出でき、雨水貯留槽１３のメンテナンスを良好にできる。
【００３２】
なお、この発明では、前記雨水貯留槽１３に上水管（図示せず）を接続するとともに、雨水の貯留のないとき、あるいは、前記雨水貯留槽１３内の貯留水位が予め設定された下限水位レベルＬ以下になったとき前記上水管から上水を補給するするためのポンプを備えてもよい。
【００３３】
図５は、給水手段１５に沿って（Ｓ方向に沿って）複数の雨水貯留槽１３が一列に配置されているこの発明の第２の実施形態を示す。
【００３４】
図６は、雨水貯留槽１３の導出口１４と給水手段１５との間に給水タイマー５０を設けたこの発明の第３の実施形態を示す。
【００３５】
図７は、給水手段１５に沿って（Ｓ方向に沿って）複数の雨水貯留槽１３が一列に配置されているとともに、雨水貯留槽１３に上水管６０を接続するとともに、雨水の貯留のないとき、あるいは、雨水貯留槽１３内の貯留水位が予め設定された下限水位レベル以下になったとき上水管６０から上水Ｗを補給するするためのポンプ６１を備えているこの発明の第４の実施形態を示す。図７において、６２は上水収容槽である。
【００３６】
なお、上記各実施形態では、道路Ｒの中央分離帯２で使用される防音壁４付きの雨水利用緑化柵を示したが、この発明は、ビルの屋上や各種の広場等に使用できるものであり、さらに、防音壁４を持たない植生支持体５付きの雨水利用緑化柵も適用できる。
【符号の説明】
【００３７】
１          雨水利用緑化柵
３          支柱
４          板体
５          植生支持体
６          植生容器
１０        雨水集水手段
１１        雨水分流器
１２        導入口
１３        雨水貯留槽
１４        導出口
１５        給水手段
Ａ          導出流路
Ｂ          給水流路
Ｐ          植物
【図１】
2010229795.tif 000003
【図２】
2010229795.tif 000004
【図３】
2010229795.tif 000005
【図４】
2010229795.tif 000006
【図５】
2010229795.tif 000007
【図６】
2010229795.tif 000008
【図７】
2010229795.tif 000009